(57)【要約】【課題】鏡餅容器上に載置する各種の飾り物を鏡餅容器上に位置ずれを生じさせずに載置でき、その飾り物の大小、高低等が異なっていて安定して確実に固定できる。【解決手段】餅を充填して重ね餅状の外形を呈する鏡餅容器Ｐ上に載置する飾り物Ｄを支持する固定カバー具であって、鏡餅容器Ｐを覆って鏡餅容器Ｐに固定させる固定体２と、鏡餅容器Ｐ上に載置する飾り物Ｄを支持する支持体５とを一体にしたカバー具本体１を形成する。このカバー具本体１の支持体５は、固定体２の頂部に上方に向かって筒状に膨出形成してあって、飾り物Ｄを支持する上部開放の支持部６を形成する。支持部６は、支持体５の頂部に、この頂部の周縁から支持体５の中心側下方に向かって傾斜し、端縁が飾り物Ｄを押圧当接している適数の押圧片７を配設してある。【選択図】図１
2012192957.tif 000002
【特許請求の範囲】
【請求項１】
餅を充填して重ね餅状の外形を呈する鏡餅容器上に載置される飾り物を支持する固定カバー具であって、鏡餅容器を覆って鏡餅容器に固定させる固定体と、鏡餅容器上に載置される飾り物を支持する支持体とを一体形成して成るカバー具本体を形成し、このカバー具本体には、飾り物を支持する支持部、あるいは積み重ねたカバー具本体を分離させる分離手段の少なくともいずれか一方を形成したことを特徴とする鏡餅飾り用固定カバー具。
【請求項２】
餅を充填して重ね餅状の外形を呈する鏡餅容器上に載置される飾り物を支持する固定カバー具であって、鏡餅容器を覆って鏡餅容器に固定させる固定体と、鏡餅容器上に載置される飾り物を支持する支持体とを一体形成して成るカバー具本体を形成し、このカバー具本体の支持体は、固定体の頂部に上方に向かって筒状に膨出形成され、飾り物を支持する上部開放の支持部を形成したことを特徴とする鏡餅飾り用固定カバー具。
【請求項３】
支持部は、支持体の頂部に、この頂部の周縁から支持体の中心側下方に向かって傾斜し、端縁が飾り物を押圧当接している適数の押圧片を配設して成る請求項１または２に記載の鏡餅飾り用固定カバー具。
【請求項４】
支持部は、支持体の頂部に、この頂部の周縁から頂部の中心に至る細幅状の渦巻き線となっている切り抜きによって渦巻き状を呈する押圧渦巻き片を形成して成る請求項１または２に記載の鏡餅飾り用固定カバー具。
【請求項５】
支持部は、支持体の頂部に、この頂部の周縁部分を残して窪み部分を円形状に刳り抜くことで、窪み部分の傾斜部分による円環状の押圧環片を形成して成る請求項１または２に記載の鏡餅飾り用固定カバー具。
【請求項６】
餅を充填して重ね餅状の外形を呈する鏡餅容器上に載置される飾り物を支持する固定カバー具であって、鏡餅容器を覆って鏡餅容器に固定させるカバー具本体を形成し、このカバー具本体は、積み重ねたカバー具本体を分離させる分離手段を備えていることを特徴とする鏡餅飾り用固定カバー具。
【請求項７】
分離手段は、カバー具本体の固定体における鏡餅容器の上段部分を覆う覆い部の下部の周囲に、覆い部内方に窪む適数の分離窪みを形成して成る請求項１あるいは３乃至６のいずれかに記載の鏡餅飾り用固定カバー具。
【請求項８】
分離手段は、カバー具本体の固定体における鏡餅容器の上段部分を覆う覆い部の下部の周囲に、覆い部内方に窪ませて、下部では幅広で上部に至るに伴い次第に狭幅にすると共に、覆い部の高さ方向に対して同方向に傾斜配置されている適数の分離傾斜窪みを形成して成る請求項１あるいは３乃至６のいずれかに記載の鏡餅飾り用固定カバー具。
【発明の詳細な説明】
【技術分野】
【０００１】
本発明は鏡餅としてパック詰めされる鏡餅容器上に例えば干支の動物等を模したフィギュア、正月用の例えば橙となる各種の飾り物等を載置させた状態で、これらの飾り物を鏡餅容器上に固定するとき、飾り物の大小、高低その他に相違があってもこれらを確実に係止固定でき、体裁を良好にする鏡餅飾り用固定カバー具に関する。
【背景技術】
【０００２】
従来から、餅をパック詰めすることで二段重ね状の鏡餅を呈するようにした各種の鏡餅容器が提案されており、またその鏡餅容器上に正月のお祝いに相応しくなっている例えば橙を模した各種の飾り物を載置し、またこの橙風の飾り物に限らず、干支の動物を模した各種のフィギュアを載置し、固定することで装飾効果を増大させた鏡餅が販売されている。そのため、鏡餅容器上に飾り物を載置固定するために例えば特許文献１に係る鏡餅飾りの保持具と鏡餅包装体、特許文献２に係る包装鏡餅、特許文献３に係る飾り具等が提案されている。
【０００３】
特許文献１に係る保持具・包装体は、二段重ね餅状に形成した鏡餅容器上に載せた橙飾りを、この橙飾りと鏡餅容器の上段部とを覆うように保持具を被せ付けるものである。特許文献２の包装鏡餅は、鏡餅形状体の頂部に膨出部を形成し、この膨出部に、下部が開放されてみかんを呈している疑似みかんを被せるとしたものである。特許文献３に係る飾り具は、二段重ね状の鏡餅形態を有する鏡餅容器上に載置した飾り具を覆い、鏡餅容器の上段部に嵌合する透明カバーとしたものである。
【先行技術文献】
【特許文献】
【０００４】
【特許文献１】特開平１１−３４１９５９号公報
【特許文献２】登録実用新案第３０７０７５５号公報
【特許文献３】特開２００６−５５２号公報
【発明の概要】
【発明が解決しようとする課題】
【０００５】
ところがこれらはいずれも、鏡餅容器上の飾り物を覆う中空の器・ボックス状を呈していて、その飾り物等を覆い収納する収納部分の大きさは一定のものとして用意されている。そのため、例えば干支の動物を模したフィギュアである場合、その干支の動物等をデフォルメするときに収納部分の容量を考慮しなければならないから干支の動物によっては相当程度に小型化する必要がある。そうすると、干支の動物等として表現されていても一見しただけではどのような干支の動物であるのかが不明となり、それを認識理解できないことが生じ、封入、収納することでの販売促進には寄与しない結果となる。
【０００６】
また、逆に干支の動物等をデフォルメするときにある程度の大きさとして、それらの飾り物に大小、高低が生じたりした場合に、飾り物大きさに対応させて覆い収納部分の大きさ、高さ等を変更しなければならいとすると、これは極めて面倒である。例えば干支の動物等を模したフィギュアである場合、それが例えば卯年用のウサギであるとその特徴である耳部をデフォルメし、強調するあまり、覆い部分を高く、大きくしなければならなくなるから、その対応は実際上は極めて困難である。一方、予め余裕を持たせて大きくしておくと、逆に小型化された飾り物を覆う場合には、覆い部分内でずれ動き、飾り態様が不体裁なものとなる。
【０００７】
そればかりでなく、従来の保持具・包装体が鏡餅容器の上段部を覆うように比較的に肉薄の素材にて透明カバーが形成されている場合、鏡餅容器とは別個にして、この透明カバー自体を複数で重ね合わせて保管し、また準備しておくことが多く、使用時にそれらを１個毎に分離し、飾り物と合わせて鏡餅容器に被せている。ところが、このように複数で重ね合わせておくと、素材が肉薄の合成樹脂であることと相俟ち、重ね合わせた相互間では真空に近くなって負圧が生じ、ぴったりと付着した状態となってしまう。そうすると、それらを１個毎に分離するのは極めて困難となるから、全体作業の能率向上を図る上で問題となっていた。
【０００８】
そこで本発明は叙上のような従来存した諸事情に鑑み創出されたもので、その目的は鏡餅容器上に載置する例えば橙等の正月用の飾り、干支の動物を模したフィギュア等の各種の飾り物を鏡餅容器上に位置ずれを生じさせずに載置でき、その飾り物の大小、高低等が異なっていてもそれらに対応して安定的に、確実に固定できるようにし、また、鏡餅容器に被せる使用前で多数を重ね合わせて保管しておいても、それらを１個毎に簡単に分離できる鏡餅飾り用固定カバー具を提供することにある。
【課題を解決するための手段】
【０００９】
上述した課題を解決するため、本発明にあっては、餅を充填して重ね餅状の外形を呈する鏡餅容器Ｐ上に載置される飾り物Ｄを支持する固定カバー具であって、鏡餅容器Ｐを覆って鏡餅容器Ｐに固定させる固定体２と、鏡餅容器Ｐ上に載置される飾り物Ｄを支持する支持体５とを一体形成して成るカバー具本体１を形成し、カバー具本体１には、飾り物Ｄを支持する支持部６、あるいは積み重ねたカバー具本体１を分離させる分離手段１０，１５の少なくともいずれか一方を形成したことを特徴とする。
また、餅を充填して重ね餅状の外形を呈する鏡餅容器Ｐ上に載置される飾り物Ｄを支持する固定カバー具であって、鏡餅容器Ｐを覆って鏡餅容器Ｐに固定させる固定体２と、鏡餅容器Ｐ上に載置される飾り物Ｄを支持する支持体５とを一体形成して成るカバー具本体１を形成し、このカバー具本体１の支持体５は、固定体２の頂部に上方に向かって筒状に膨出形成され、飾り物Ｄを支持する上部開放の支持部６を形成したことを特徴とする。
支持部６は、支持体５の頂部に、この頂部の周縁から支持体５の中心側下方に向かって傾斜し、端縁が飾り物Ｄを押圧当接している適数の押圧片７を配設して、あるいは支持体５の頂部に、この頂部の周縁から頂部の中心に至る細幅状の渦巻き線となっている切り抜きによって渦巻き状を呈する押圧渦巻き片８を形成して、あるいは支持体５の頂部に、この頂部の周縁部分を残して窪み部分を円形状に刳り抜くことで、窪み部分の傾斜部分による円環状の押圧環片９を形成して構成することができる。
また、餅を充填して重ね餅状の外形を呈する鏡餅容器Ｐ上に載置される飾り物Ｄを支持する固定カバー具であって、鏡餅容器Ｐを覆って鏡餅容器Ｐに固定させるカバー具本体１を形成し、このカバー具本体１は、積み重ねたカバー具本体１を分離させる分離手段１０，１５の少なくともいずれか一方を備えていることを特徴とする。
第１の分離手段１０は、カバー具本体１における鏡餅容器Ｐの上段部分を覆う覆い部３の下部の周囲に、覆い部３内方に窪む適数の分離窪み１１を形成して構成することができる。
第２の分離手段１５は、カバー具本体１における鏡餅容器Ｐの上段部分を覆う覆い部３の下部の周囲に、覆い部３内方に窪ませて、下部では幅広で上部に至るに伴い次第に狭幅にすると共に、覆い部３の高さ方向に対して同方向に傾斜配置されている適数の分離傾斜窪み１６を形成して構成することができる。
【００１０】
以上のように構成された本発明に係る鏡餅飾り用固定カバー具にあって、カバー具本体１の支持体５は、飾り物Ｄを載置した鏡餅容器Ｐをカバー具本体１によって覆い固定するとき、載置された飾り物Ｄをその支持部６によって支持し、支持体５頂部の開放部分による支持部６は飾り物Ｄに大小、高低等があってもそれらを支持する対応性を備える。
端縁が飾り物Ｄを押圧当接している適数の押圧片７を配設して成る支持部６は、飾り物Ｄの上部面に半ば弾性的に当接して飾り物Ｄを位置決め支持させる。
渦巻き状を呈する押圧渦巻き片８から成る支持部６は、飾り物Ｄの上部面に自身の片面が半ば弾発的に当接して飾り物Ｄを位置決め支持させる。
円環状の押圧環片９から成る支持部６は、飾り物Ｄの上部面を環状に当接して押圧し、飾り物Ｄを位置決め支持させる。
また、カバー具本体１において、覆い部３内方に窪む適数の分離窪み１１を形成した第１の分離手段１０は、分離窪み１１の内側面側を、内側に積み重ねてある他の固定カバー具の覆い部３外側面に当接することで、積み重ねた他の固定カバー具と若干の空隙を生じさせ、分離を容易にさせる。
下部が広幅で、上部が狭幅となって同方向に傾斜している分離傾斜窪み１６を形成した第２の分離手段１５は、積み重ねた固定カバー具同士の内外側面相互間で若干の空隙を生じさせ、ひねるように回転させることでそれぞれに容易に分離させる。
【発明の効果】
【００１１】
本発明は以上説明したように構成されているため、鏡餅容器Ｐ上に載置する例えば橙等の正月用の飾り、干支を模したフィギュア等の各種の飾り物Ｄを鏡餅容器Ｐ上に、飾り物Ｄを支持体５内に位置決めしてカバー具本体１を鏡餅容器Ｐに被せるだけで、飾り物Ｄに位置ずれを生じさせずに鏡餅容器Ｐ上の所定位置に飾り物Ｄを固定載置できる。また、支持体５の支持部６は開放構造であるために、載置固定する飾り物Ｄに大小、高低等があってそれらが異なっていてもそれらに対応して安定的に、確実に固定できる。
【００１２】
すなわち、これは本発明において、鏡餅容器Ｐに固定させる固定体２と、鏡餅容器Ｐ上に載置される飾り物Ｄを支持する支持体５とを一体形成して成るカバー具本体１を形成し、このカバー具本体１の支持体５は、固定体２の頂部に上方に向かって筒状に膨出形成され、飾り物Ｄを支持する上部開放の支持部６を形成したからである。これによって、飾り物Ｄの支持安定性、大小、高低等が異なる各種の飾り物Ｄへの対応性に優れ、特に、干支の動物等を模した飾り物Ｄであるときに、従来と異なり無理に小型化する必要がなく、それらの干支の動物の特徴が表現されているある程度の大きさのものとし、その結果、それぞれに大小、高低が異なることになっても、一態様の支持部６によってそれぞれに対応可能であるから、別個に用意せずに済み、汎用性に優れる。
【００１３】
また、支持部６は、端縁が飾り物Ｄを押圧当接している適数の押圧片７、渦巻き状を呈する押圧渦巻き片８、円環状の押圧環片９のいずれかにて形成されて成るから、支持体５内に収納載置された飾り物Ｄをその上方、側方等から押さえバネ的な作用が生じて半ば弾発的に支持し、支持体５内でしっかりと位置決めさせ、固定できる。しかも、従来であれば、飾り物Ｄを載置したままで、更にボックス状の別個に用意した包装容器内に収納することで飾り物Ｄの紛失、固定その他を図っていたのに比し、そのボックス状包装容器を用意せずに済み、そのためコストも低減できる。
【００１４】
一方、第１の分離手段１０においては、覆い部３内方に窪む適数の分離窪み１１を形成してあることで、積み重ねた固定カバー具相互間に空隙を生じさせているから、固定カバー具相互間に負圧を生じさせず、例え肉薄な素材によって形成されていても、それらを損傷させることなく容易に分離できる。
【００１５】
また、第２の分離手段１５においては、下部が広幅で、上部が狭幅となって同方向に傾斜している分離傾斜窪み１６を形成してあることで、積み重ねた固定カバー具自体をひねるように回転させることで、固定カバー具それぞれを簡単容易に分離できる。
【００１６】
いずれの分離手段１０，１５にあっても、多数の固定カバー具を重ね合わせてあるとき、その重ね合わせ部分でぴったりと密着しているようになっていても、支持体５における支持部６が開放構造であることと相俟ち、固定カバー具相互間で負圧状になることはなく、分離時には容易に分離できるのであり、肉薄な合成樹脂を素材とした構造であっても、分離作業時に損傷されることはない。
【００１７】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００１８】
【図１】本発明を実施するための一形態を示す使用時における分解斜視図である。
【図２】同じくその一部切欠正面である。
【図３】同じく他の実施の形態における斜視図である。
【図４】同じくその使用時における一部切欠正面図である。
【図５】同じく他の実施の形態における斜視図である。
【図６】同じくその使用時の一部切欠正面である。
【図７】同じく他の飾り物を収納支持したときの一部切欠正面である。
【図８】同じく他の飾り物を収納支持したときの一部切欠正面である。
【図９】同じく他の飾り物を収納支持したときの一部切欠正面である。
【図１０】同じく固定カバー具を複数で積み重ね保管するとき、それぞれに分離容易とさせる分離手段を形成した固定カバー具の斜視図である。
【図１１】同じくその積み重ね時の断面図である。
【図１２】同じく分離手段の他の実施の形態における斜視図である。
【図１３】同じくその積み重ね時の断面図である。
【発明を実施するための形態】
【００１９】
以下、図面を参照して本発明を実施するための一形態を説明すると、図において示される符号１は例えば二段重ね状の鏡餅を呈する所定の鏡餅容器Ｐ上に載置される各種の飾り物Ｄを覆うように支持して、その飾り物Ｄを鏡餅容器Ｐ上に位置決めして鏡餅容器Ｐに固定されるカバー具本体であり、適宜肉厚の透明な合成樹脂によって形成されている。
【００２０】
このカバー具本体１は、鏡餅容器Ｐを覆って鏡餅容器Ｐに固定させる固定体２と、鏡餅容器Ｐ上に載置される飾り物Ｄを支持する支持体５とを一体形成して成る。固定体２は、鏡餅容器Ｐにおける上段部分を覆うようほぼ椀状を呈する覆い部３の開口下端に、同じく鏡餅容器Ｐの下段部分と上段部分との間である括れ部分に係止するよう内方に若干窄ませて成る係止部４を備えている。すなわち覆い部３は、鏡餅容器Ｐにおける上段部分に密着して嵌め合わせられるよう、上段部分の外形に沿う内形を有し、係止部４をやや拡開させながら上段部分に強制的にでも被せられるようになっている。
【００２１】
支持体５は、固定体２の頂部に上方に向かって筒状に膨出すると共に上部を開放することで固定体２と一体にして形成してあり、内法大きさは支持する飾り物Ｄの外形大きさに比し小さくはないものとしてある。この支持体５の横断形状は図示のようにほぼ円形状とすることで鏡餅容器Ｐに組み合わせて支持する飾り物Ｄの方向性を考慮する必要がないが、必要があれば横断面で三角形、四角形その他の多角形状に形成することも可能である。また、この支持体５自体はその基部から頂部に至るに伴いやや小さくなる窄まり状に形成することで、固定体２と共に多重段に積み重ねた状態でコンパクトに保管できるように配慮してある。
【００２２】
この支持体５の上部の開放部分は、支持体５内に収納支持する飾り物Ｄをこの飾り物Ｄ自体の例えば上部を係止することで、飾り物Ｄの位置ずれ、飛び出し等を抑止する支持部６となっている。この支持部６自体によって、飾り物Ｄを例えばその上方から下方に向かって押圧したり、支持体５から上方に外出する飾り物Ｄの外出部分を周囲から押圧したり、支持体５内で飾り物Ｄを周囲から押圧したりすることで、押圧バネ的な弾性作用によって飾り物Ｄを支持体５内で支持している。そして、図例にあっての支持部６は、支持体５における頂部の中心側部分を周縁側部分に比し、下方の覆い部３側に向かってやや窪ませ、また開口してある。すなわち、その窪み部分底部及び周縁の傾斜部に所定の処理を施すことで開放状に形成させてあり、窪み部分の中心側に向かう傾斜部によって支持体５内に収納した飾り物Ｄに対する押圧部分を形成している。
【００２３】
具体的には、図１、図２に示す支持部６は、支持体５の頂部に、この頂部の周縁から支持体５の中心側下方に向かって傾斜し、端縁が飾り物Ｄを押圧当接している適数の押圧片７を配設して成る。図示例にあっては、頂部の中心側から例えば三つ葉状に頂部自体をいわば切り抜くことによって、頂部の周縁部分を基部として、頂部の中心側にそれぞれが分離された状態で舌片状となって延びていることによる押圧舌片７を形成している。この押圧舌片７は、その端縁が下方に向かっていることによって、支持体５内に収納された飾り物Ｄの上部面に半ば弾発的に端縁が当接して飾り物Ｄを位置決め支持する。
【００２４】
図３、図４に示す支持部６は、支持体５の頂部に、この頂部の周縁から頂部の中心に至る細幅状の渦巻き線となっている切り抜きによって渦巻き状を呈する押圧渦巻き片８を形成して成る。この押圧渦巻き片８は、頂部の窪み部分に形成されていることで支持体５内の下方にやや垂れ下がり状となり、支持体５内に収納された飾り物Ｄの上部面に自身の片面が半ば弾発的に当接して飾り物Ｄを位置決め支持する。
【００２５】
図５、図６に示す支持部６は、支持体５の頂部に、この頂部の周縁部分を残して窪み部分を円形状に刳り抜くことで、窪み部分の傾斜部分による円環状の押圧環片９を形成して成る。この押圧環片９は、支持体５内に収納された飾り物Ｄの上部面に環状に当接して押圧し、飾り物Ｄを位置決め支持する。
【００２６】
尚、図示を省略したが、頂部の窪み部分を円形状に刳り抜かずに放射状の切断線を設けることで、多数の押圧支持片を周縁に沿って配列して支持部６とすることも可能であり、このような放射状配列による押圧支持片によって、飾り物Ｄに対して、押圧支持片自身が湾曲状になって当接することで飾り物Ｄの側方から半ば弾発的に支持できる。
【００２７】
また、図示を省略したが、押圧舌片７、押圧環片９から成る支持部６にあっては、支持部６上方から強制的にでも飾り物Ｄを挿入して支持体５内に収納させることもでき、取扱いを容易にする。
【００２８】
このような支持体５の支持部６によると、例えば図２、図４、図６、図７に示すように支持体５内に収納された飾り物Ｄが支持部６によって飾り物Ｄの上方から弾発的に支持されたり、図８に示すように飾り物Ｄが例えばその上部の一部が支持部６の上方に突出された状態で支持されたり、図９に示すようにウサギを模してある飾り物Ｄの一部例えばその耳部が大きく上方に突出した状態で支持されたりする。いずれにしても、支持部６の弾性作用、更には開放部分を利用することで、支持体５内に収納した飾り物Ｄをしっかりと支持できるようにしている。
【００２９】
また、図１０乃至図１３には、本発明に係る固定カバー具自体、すなわちカバー具本体１を複数で積み重ねた保管時に、個々の固定カバー具それぞれに分離容易とさせる分離手段１０，１５が示されている。図１０、図１１に示される第１の分離手段１０は、前記覆い部３の下部の周囲に、覆い部３内方に窪む適数の分離窪み１１を形成して成り、この分離窪み１１は覆い部３の素材厚に比し大きい深さを有するように形成してあって、例えば円形窪み状に形成される。こうすることで多数の本発明に係る固定カバー具を覆い部３によって重ね合わせて保管するとき、分離窪み１１における覆い部３の内方側の内側面を重ね合わせる内側の固定カバー具の覆い部３外側面に当接させておくことで、重ね合わせる固定カバー具相互が密着せずにそれらの相互間に所定の空隙、更には位置ずれが生じ、分離を容易にさせる。
【００３０】
図１２、図１３に示される第２の分離手段１５は、前記覆い部３の下部の周囲に、覆い部３内方に窪ませて、下部では幅広で上部に至るに伴い次第に狭幅にすると共に、覆い部３の高さ方向に対して同方向に傾斜配置されている適数の分離傾斜窪み１６を形成して成る。この分離傾斜窪み１６は覆い部３の素材厚に比し大きい深さを有するように形成してあって、例えば細長水滴形窪み状に形成される。こうすることで多数の本発明に係る固定カバー具を覆い部３によって重ね合わせて保管するとき、分離傾斜窪み１６における覆い部３の内方側の内側面を、重ね合わせる内側の固定カバー具の覆い部３の外側面に重ね合わせられても、この分離傾斜窪み１６における狭幅状の上部に向かう傾斜方向に沿うように捻り回転させることで、分離を容易にさせる。また、この第２の分離手段１５においても、第１の分離手段１０と同様に分離傾斜窪み１６における覆い部３の内方側の内側面を、積み重ねている内側の固定カバー具の覆い部３外側面に当接させておくことで、重ね合わせる固定カバー具相互が密着せずにそれらの相互間に所定の空隙が生じ、分離を容易にする。
【００３１】
尚、これらの第１，第２の分離手段１０，１５は、上述した支持部６のいずれかと組み合わせて覆い部３に設けられても良く、また、場合によっては支持部６とは別個にして第１あるいは第２の分離手段１０，１５のみを独自に構成することも可能である。
【００３２】
次にこれの使用の一例を説明すると、所定量の餅を充填して鏡餅となっている鏡餅容器Ｐ上に所定の飾り物Ｄ、例えば干支を模したフィギュア等を載置するとき、支持体５内に飾り物Ｄが収納されるようにして、カバー具本体１を、その固定体２によって鏡餅容器Ｐの上段部分に被せるようにする。支持体５によって飾り物Ｄを支持するとき、その支持部６が飾り物Ｄを押圧支持するのであり、その支持状態で係止部４を鏡餅容器Ｐの括れ部分に嵌め合わせることでカバー具本体１を鏡餅容器Ｐに固定する。こうすることでカバー具本体１によって鏡餅容器Ｐ上に飾り物Ｄが位置決めされて支持固定される。
【００３３】
また、飾り物Ｄを収納支持すべく、多数個で重ねて保管しておいたカバー具本体１を分離使用するとき、分離手段１０，１５によってカバー具本体１それぞれに個別に容易に分離でき、分離したカバー具本体１それぞれで飾り物Ｄを収納し、鏡餅容器Ｐに嵌め合わせれば良い。
【符号の説明】
【００３４】
Ｄ…飾り物                              Ｐ…鏡餅容器
１…カバー具本体                        ２…固定体
３…覆い部                              ４…係止部
５…支持体                              ６…支持部
７…押圧舌片                            ８…押圧渦巻き片
９…押圧環片
１０…第１の分離手段                    １１…分離窪み
１５…第２の分離手段                    １６…分離傾斜窪み
【図１】
2012192957.tif 000003
【図２】
2012192957.tif 000004
【図３】
2012192957.tif 000005
【図４】
2012192957.tif 000006
【図５】
2012192957.tif 000007
【図６】
2012192957.tif 000008
【図７】
2012192957.tif 000009
【図８】
2012192957.tif 000010
【図９】
2012192957.tif 000011
【図１０】
2012192957.tif 000012
【図１１】
2012192957.tif 000013
【図１２】
2012192957.tif 000014
【図１３】
2012192957.tif 000015